【手続補正書】
【提出日】平成26年12月9日(2014.12.9)
【手続補正１】
【補正対象書類名】特許請求の範囲
【補正対象項目名】全文
【補正方法】変更
【補正の内容】
【特許請求の範囲】
【請求項１】
一つ以上のＥＣＣＥ（Enhanced Control Channel Element）を集合して構成されたＬｏｃａｌｉｚｅｄ  ＥＰＤＣＣＨ（Enhanced Physical Downlink Control CHannel）を用いて基地局装置と通信を行う端末装置であって、
ＥＣＣＥの信号とアンテナポートとの関係について総数４本のアンテナポートが用いられることが想定されるＬｏｃａｌｉｚｅｄ  ＥＰＤＣＣＨに対して、第一のＥＣＣＥ集合数候補セットに含まれるＥＣＣＥ集合数の候補に基づいてＬｏｃａｌｉｚｅｄ  ＥＰＤＣＣＨを検出する処理を行い、
ＥＣＣＥの信号とアンテナポートとの関係について総数２本のアンテナポートが用いられることが想定されるＬｏｃａｌｉｚｅｄ  ＥＰＤＣＣＨに対して、第二のＥＣＣＥ集合数候補セットに含まれるＥＣＣＥ集合数の候補に基づいてＬｏｃａｌｉｚｅｄ  ＥＰＤＣＣＨを検出する処理を行う受信処理部を有し、
前記第一のＥＣＣＥ集合数候補セット及び前記第二のＥＣＣＥ集合数候補セットはそれぞれ複数のＥＣＣＥ集合数の候補から構成され、
前記第一のＥＣＣＥ集合数候補セットは、前記第二のＥＣＣＥ集合数候補セットと異なることを特徴とする端末装置。
【請求項２】
前記第一のＥＣＣＥ集合数候補セット及び前記第二のＥＣＣＥ集合数候補セットに含まれるＥＣＣＥ集合数の候補としては、少なくともＥＣＣＥ集合数が２及び４を含むことを特徴とする請求項１に記載の端末装置。
【請求項３】
一つ以上のＥＣＣＥ（Enhanced Control Channel Element）を集合して構成されたＬｏｃａｌｉｚｅｄ  ＥＰＤＣＣＨ（Enhanced Physical Downlink Control CHannel）を用いて端末装置と通信を行う基地局装置であって、
ＥＣＣＥの信号とアンテナポートとの関係について総数４本のアンテナポートが用いられることが可能なＬｏｃａｌｉｚｅｄ  ＥＰＤＣＣＨを送信する場合、第一のＥＣＣＥ集合数候補セットに含まれるＥＣＣＥ集合数の候補の中の一つであるＥＣＣＥ集合数のＥＣＣＥから構成されるＬｏｃａｌｉｚｅｄ  ＥＰＤＣＣＨを用いて信号を送信する処理を行い、
ＥＣＣＥの信号とアンテナポートとの関係について総数２本のアンテナポートが用いられることが可能なＬｏｃａｌｉｚｅｄ  ＥＰＤＣＣＨを送信する場合、第二のＥＣＣＥ集合数候補セットに含まれるＥＣＣＥ集合数の候補の中の一つであるＥＣＣＥ集合数のＥＣＣＥから構成されるＬｏｃａｌｉｚｅｄ  ＥＰＤＣＣＨを用いて信号を送信する処理を行う送信処理部を有し、
前記第一のＥＣＣＥ集合数候補セット及び前記第二のＥＣＣＥ集合数候補セットはそれぞれ複数のＥＣＣＥ集合数の候補から構成され、
前記第一のＥＣＣＥ集合数候補セットは、前記第二のＥＣＣＥ集合数候補セットと異なることを特徴とする基地局装置。
【請求項４】
前記第一のＥＣＣＥ集合数候補セット及び前記第二のＥＣＣＥ集合数候補セットに含まれるＥＣＣＥ集合数の候補としては、少なくともＥＣＣＥ集合数が２及び４を含むことを特徴とする請求項３に記載の基地局装置。
【請求項５】
一つ以上のＥＣＣＥ（Enhanced Control Channel Element）を集合して構成されたＬｏｃａｌｉｚｅｄ  ＥＰＤＣＣＨ（Enhanced Physical Downlink Control CHannel）を用いて基地局装置と通信を行う端末装置の通信方法であって、
ＥＣＣＥの信号とアンテナポートとの関係について総数４本のアンテナポートが用いられることが想定されるＬｏｃａｌｉｚｅｄ  ＥＰＤＣＣＨに対して、第一のＥＣＣＥ集合数候補セットに含まれるＥＣＣＥ集合数の候補に基づいてＬｏｃａｌｉｚｅｄ  ＥＰＤＣＣＨを検出する処理を行い、
ＥＣＣＥの信号とアンテナポートとの関係について総数２本のアンテナポートが用いられることが想定されるＬｏｃａｌｉｚｅｄ  ＥＰＤＣＣＨに対して、第二のＥＣＣＥ集合数候補セットに含まれるＥＣＣＥ集合数の候補に基づいてＬｏｃａｌｉｚｅｄ  ＥＰＤＣＣＨを検出する処理を行い、
前記第一のＥＣＣＥ集合数候補セット及び前記第二のＥＣＣＥ集合数候補セットはそれぞれ複数のＥＣＣＥ集合数の候補から構成され、
前記第一のＥＣＣＥ集合数候補セットは、前記第二のＥＣＣＥ集合数候補セットと異なることを特徴とする通信方法。
【請求項６】
前記第一のＥＣＣＥ集合数候補セット及び前記第二のＥＣＣＥ集合数候補セットに含まれるＥＣＣＥ集合数の候補としては、少なくともＥＣＣＥ集合数が２及び４を含むことを特徴とする請求項５に記載の通信方法。
【請求項７】
一つ以上のＥＣＣＥ（Enhanced Control Channel Element）を集合して構成されたＬｏｃａｌｉｚｅｄ  ＥＰＤＣＣＨ（Enhanced Physical Downlink Control CHannel）を用いて端末装置と通信を行う基地局装置の通信方法であって、
ＥＣＣＥの信号とアンテナポートとの関係について総数４本のアンテナポートが用いられることが可能なＬｏｃａｌｉｚｅｄ  ＥＰＤＣＣＨを送信する場合、第一のＥＣＣＥ集合数候補セットに含まれるＥＣＣＥ集合数の候補の中の一つであるＥＣＣＥ集合数のＥＣＣＥから構成されるＬｏｃａｌｉｚｅｄ  ＥＰＤＣＣＨを用いて信号を送信する処理を行い、
ＥＣＣＥの信号とアンテナポートとの関係について総数２本のアンテナポートが用いられることが可能なＬｏｃａｌｉｚｅｄ  ＥＰＤＣＣＨを送信する場合、第二のＥＣＣＥ集合数候補セットに含まれるＥＣＣＥ集合数の候補の中の一つであるＥＣＣＥ集合数のＥＣＣＥから構成されるＬｏｃａｌｉｚｅｄ  ＥＰＤＣＣＨを用いて信号を送信する処理を行い、
前記第一のＥＣＣＥ集合数候補セット及び前記第二のＥＣＣＥ集合数候補セットはそれぞれ複数のＥＣＣＥ集合数の候補から構成され、
前記第一のＥＣＣＥ集合数候補セットは、前記第二のＥＣＣＥ集合数候補セットと異なることを特徴とする通信方法。
【請求項８】
前記第一のＥＣＣＥ集合数候補セット及び前記第二のＥＣＣＥ集合数候補セットに含まれるＥＣＣＥ集合数の候補としては、少なくともＥＣＣＥ集合数が２及び４を含むことを特徴とする請求項７に記載の通信方法。
【請求項９】
一つ以上のＥＣＣＥ（Enhanced Control Channel Element）を集合して構成されたＬｏｃａｌｉｚｅｄ  ＥＰＤＣＣＨ（Enhanced Physical Downlink Control CHannel）を用いて基地局装置と通信を行う端末装置に実装される集積回路であって、
ＥＣＣＥの信号とアンテナポートとの関係について総数４本のアンテナポートが用いられることが想定されるＬｏｃａｌｉｚｅｄ  ＥＰＤＣＣＨに対して、第一のＥＣＣＥ集合数候補セットに含まれるＥＣＣＥ集合数の候補に基づいてＬｏｃａｌｉｚｅｄ  ＥＰＤＣＣＨを検出する処理を行い、
ＥＣＣＥの信号とアンテナポートとの関係について総数２本のアンテナポートが用いられることが想定されるＬｏｃａｌｉｚｅｄ  ＥＰＤＣＣＨに対して、第二のＥＣＣＥ集合数候補セットに含まれるＥＣＣＥ集合数の候補に基づいてＬｏｃａｌｉｚｅｄ  ＥＰＤＣＣＨを検出する処理を行う機能を含む一連の機能を前記端末装置に発揮させ、
前記第一のＥＣＣＥ集合数候補セット及び前記第二のＥＣＣＥ集合数候補セットはそれぞれ複数のＥＣＣＥ集合数の候補から構成され、
前記第一のＥＣＣＥ集合数候補セットは、前記第二のＥＣＣＥ集合数候補セットと異なることを特徴とする集積回路。
【請求項１０】
前記第一のＥＣＣＥ集合数候補セット及び前記第二のＥＣＣＥ集合数候補セットに含まれるＥＣＣＥ集合数の候補としては、少なくともＥＣＣＥ集合数が２及び４を含むことを特徴とする請求項９に記載の集積回路。
【請求項１１】
一つ以上のＥＣＣＥ（Enhanced Control Channel Element）を集合して構成されたＬｏｃａｌｉｚｅｄ  ＥＰＤＣＣＨ（Enhanced Physical Downlink Control CHannel）を用いて端末装置と通信を行う基地局装置に実装される集積回路であって、
ＥＣＣＥの信号とアンテナポートとの関係について総数４本のアンテナポートが用いられることが可能なＬｏｃａｌｉｚｅｄ  ＥＰＤＣＣＨを送信する場合、第一のＥＣＣＥ集合数候補セットに含まれるＥＣＣＥ集合数の候補の中の一つであるＥＣＣＥ集合数のＥＣＣＥから構成されるＬｏｃａｌｉｚｅｄ  ＥＰＤＣＣＨを用いて信号を送信する処理を行い、
ＥＣＣＥの信号とアンテナポートとの関係について総数２本のアンテナポートが用いられることが可能なＬｏｃａｌｉｚｅｄ  ＥＰＤＣＣＨを送信する場合、第二のＥＣＣＥ集合数候補セットに含まれるＥＣＣＥ集合数の候補の中の一つであるＥＣＣＥ集合数のＥＣＣＥから構成されるＬｏｃａｌｉｚｅｄ  ＥＰＤＣＣＨを用いて信号を送信する処理を行う機能を含む一連の機能を前記基地局装置に発揮させ、
前記第一のＥＣＣＥ集合数候補セット及び前記第二のＥＣＣＥ集合数候補セットはそれぞれ複数のＥＣＣＥ集合数の候補から構成され、
前記第一のＥＣＣＥ集合数候補セットは、前記第二のＥＣＣＥ集合数候補セットと異なることを特徴とする集積回路。
【請求項１２】
前記第一のＥＣＣＥ集合数候補セット及び前記第二のＥＣＣＥ集合数候補セットに含まれるＥＣＣＥ集合数の候補としては、少なくともＥＣＣＥ集合数が２及び４を含むことを特徴とする請求項１１に記載の集積回路。